(57)【要約】【課題】導光板内からの光の漏れを抑えて高効率とすることができる照明装置を提供する。【解決手段】導光板１３は、ＬＥＤ素子の光が入射される光入射部２１と、光入射部２１から入射された光をＬＥＤ素子の光軸方向と交差する導光方向に屈曲させる光屈曲部２２と、光屈曲部２２により屈曲された光を射出する光出射部２３とを備える。光屈曲部２２は、導光方向から見た状態でＶ字状をなす溝部２２ａが導光方向に沿って形成される。【選択図】図２
2014096348.tif 000002
【特許請求の範囲】
【請求項１】
光源と、該光源から出射される光を導光する導光板とを有する照明装置であって、
前記導光板は、前記光源の光が入射される光入射部と、前記光入射部から入射された光の少なくとも一部を前記光源の光軸方向と交差する導光方向に屈曲させる光屈曲部と、前記光屈曲部により屈曲された光を射出する光出射部とを備え、前記光屈曲部は、前記導光方向から見た状態でＶ字状をなす溝部が前記導光方向に沿って形成されることを特徴とすることを特徴とする照明装置。
【請求項２】
請求項１に記載の照明装置において、
前記溝部は、その頂角が８０〜１１０度となるように形成されることを特徴とする照明装置。
【請求項３】
請求項１又は２に記載の照明装置において、
前記溝部は、前記導光板の中央側ほど浅くなるように形成されることを特徴とする照明装置。
【請求項４】
請求項１〜３のいずれか一項に記載の照明装置において、
前記光源は、ＬＥＤ素子を複数配設して構成され、
前記溝部は、ＬＥＤ素子の配設方向に複数形成されることを特徴とする照明装置。
【請求項５】
請求項４に記載の照明装置において、
前記溝部は、前記ＬＥＤ素子と対応する位置に形成されることを特徴とする照明装置。
【請求項６】
請求項４に記載の照明装置において、
前記導光板は、前記光屈曲部の溝部が外縁部全体にわたって形成されることを特徴とする照明装置。
【請求項７】
請求項１〜６のいずれか一項に記載の照明装置において、
前記導光板は、前記溝部が複数形成されてなる前記光屈曲部と、前記溝部間に形成されて一部の光を前記導光方向に屈曲させて導光させつつ残りの光を外部に漏らす部分光屈曲部とを備えることを特徴とする照明装置。
【請求項８】
請求項７に記載の照明装置において、
少なくとも前記部分光屈曲部と対向する位置に拡散部材が設けられることを特徴とする照明装置。
【請求項９】
請求項１〜６のいずれか一項に記載の照明装置において、
前記溝部は、拡散性を有し、一部の光が前記導光板の外部に漏れる態様で構成されることを特徴とする照明装置。
【請求項１０】
請求項９に記載の照明装置において、
少なくとも前記溝部と対向する位置に拡散部材が設けられることを特徴とする照明装置。
【請求項１１】
請求項１〜１０のいずれか一項に記載の照明装置において、
前記光源が設けられる基板及び前記導光板を固定する筐体と、筐体の開口部を覆うように設けられる拡散透過板とを備えたことを特徴とする照明装置。
【発明の詳細な説明】
【技術分野】
【０００１】
本発明は、導光板を用いて光源の光を導光する照明装置に関するものである。
【背景技術】
【０００２】
従来、導光板を用いた照明装置は、例えば有底筒状のハウジング内にＬＥＤ素子等の光源と、この光源と対向する導光板とを備え、導光板の光出射部から光が出射されることで光が点るようになっている（例えば特許文献１参照）。このような照明装置としては、ＬＥＤ素子等の光源をハウジング側に実装し、導光板内に入射された光の光路を屈曲させて導光方向に導くものが知られている。具体的には、導光板の外縁部を湾曲形状とさせることで、光を全反射させやすくしている。
【先行技術文献】
【特許文献】
【０００３】
【特許文献１】特開２００４−３１９１６４号公報
【発明の概要】
【発明が解決しようとする課題】
【０００４】
ところで、上記のような照明装置では、単に導光板の外縁部を湾曲形状とすることで、その湾曲形状の外縁部で導光板内に入射された光を屈曲（全反射）させている。しかしながら、導光板の屈折率が１．５前後であると仮定すると、導光板厚みの５倍以上の曲率半径で屈曲しなければ漏れ光が発生して効率の面で改善の余地が残されている。
【０００５】
本発明は、上記課題を解決するためになされたものであって、その目的は、導光板内からの光の漏れを抑えて高効率とすることができる照明装置を提供することにある。
【課題を解決するための手段】
【０００６】
上記課題を解決するために、照明装置は、光源と、該光源から出射される光を導光する導光板とを有する照明装置であって、前記導光板は、前記光源の光が入射される光入射部と、前記光入射部から入射された光の少なくとも一部を前記光源の光軸方向と交差する導光方向に屈曲させる光屈曲部と、前記光屈曲部により屈曲された光を射出する光出射部とを備え、前記光屈曲部は、前記導光方向から見た状態でＶ字状をなす溝部が前記導光方向に沿って形成されることを特徴とする。
【０００７】
また上記構成において、前記溝部は、その頂角が８０〜１１０度となるように形成されることが好ましい。
また上記構成において、前記溝部は、前記導光板の中央側ほど浅くなるように形成されることが好ましい。
【０００８】
また上記構成において、前記光源は、ＬＥＤ素子を複数配設して構成され、前記溝部は、ＬＥＤ素子の配設方向に複数形成されることが好ましい。
また上記構成において、前記溝部は、前記ＬＥＤ素子と対応する位置に形成されることが好ましい。
【０００９】
また上記構成において、前記導光板は、前記光屈曲部の溝部が外縁部全体にわたって形成されることが好ましい。
また上記構成において、前記導光板は、前記溝部が複数形成されてなる前記光屈曲部と、前記溝部間に形成されて一部の光を前記導光方向に屈曲させて導光させつつ残りの光を外部に漏らす部分光屈曲部とを備えることが好ましい。
【００１０】
また上記構成において、少なくとも前記部分光屈曲部と対向する位置に拡散部材が設けられることが好ましい。
また上記構成において、前記溝部は、拡散性を有し、一部の光が前記導光板の外部に漏れる態様で構成されることが好ましい。
【００１１】
また上記構成において、前記溝部と対向する位置に拡散部材が設けられることが好ましい。
また上記構成において、前記光源が設けられる基板及び前記導光板を固定する筐体と、筐体の開口部を覆うように設けられる拡散透過板とを備えることが好ましい。
【発明の効果】
【００１２】
本発明によれば、照明装置は、導光板内からの光の漏れを抑えて高効率とすることができる。
【図面の簡単な説明】
【００１３】
【図１】第１実施形態における照明装置の斜視図である。
【図２】同上における照明装置の導光板の一部を示す斜視図である。
【図３】同上における導光板の光屈曲部について説明するための平面図である。
【図４】（ａ）は溝部を有しない構成の導光板を用いた場合の光を模式的に示す模式図であり、（ｂ）は溝部を有する構成の導光板を用いた場合の光を模式的に示す模式図である。
【図５】溝部における光の屈曲について説明するための説明図である。
【図６】溝部における光の屈曲について説明するための説明図である。
【図７】溝部における光の屈曲について説明するための説明図である。
【図８】（ａ）（ｂ）は溝部の頂角について説明するための説明図である。
【図９】（ａ）（ｂ）は比較例の溝部の頂角について説明するための説明図である。
【図１０】導光板を有底筒状とした場合の溝部の一例について説明するための斜視図である。
【図１１】第２実施形態における照明装置の導光板の溝部について説明するための斜視図である。
【図１２】同上の溝部における溝部形成位置について説明するための平面図である。
【図１３】溝部形成位置について説明するための説明図である。
【図１４】別例における照明装置の導光板の一部を示す斜視図である。
【図１５】別例における照明装置の導光板の一部示す斜視図である。
【図１６】別例における照明装置の筐体及びカバー部を説明するための説明図である。
【図１７】別例における照明装置の筐体及びカバー部を説明するための説明図である。
【図１８】別例における照明装置の筐体及びカバー部を説明するための説明図である。
【図１９】別例における照明装置の筐体及びカバー部を説明するための説明図である。
【発明を実施するための形態】
【００１４】
（第１実施形態）
以下、照明装置の第１実施形態を図面に従って説明する。
図１に示すように本実施形態の照明装置１０は、略円板状のベース部１１上に光源としてのＬＥＤ素子１２と、略円板状の導光板１３とを備える。
【００１５】
図１に示すようにＬＥＤ素子１２は、前記ベース部１１の外縁側の下面１１ａに周方向に等間隔で複数（本実施形態の場合１６個）設けられる。ＬＥＤ素子１２は、前記ベース部１１とは反対側の光出射側において導光板１３と対向配置される。
【００１６】
図１〜図３に示すように導光板１３は、有底円筒状をなし、光入射部２１と、光屈曲部２２と、光出射部２３とを備える。
図３に示すように導光板１３の光入射部２１は、円板状の導光板１３の開口側の端部（端面）であり、この端部が前記ＬＥＤ素子１２と対向配置されてＬＥＤ素子１２から出射される光が入射されるようになっている。
【００１７】
図２及び図３に示すように、光屈曲部２２は、前記光入射部２１で入射された光を屈曲させて（光の進行方向を変えて）前記ＬＥＤ素子１２の光軸Ｌ１と略直交する導光方向Ｌ２へ導く構造である。また、図２に示すように光屈曲部２２は、前記導光方向Ｌ２からみてＶ字状の溝部２２ａが前記導光方向Ｌ２に沿って形成されている。溝部２２ａは、ＬＥＤ素子１２の配設方向（周方向）に複数形成される。溝部２２ａは、２つの平面２２ｂをＶ字状に交差させ、その頂角θ１が図８（ａ）（ｂ）に示すように略８０〜１１０度の範囲となるように構成され、これより図９（ａ）（ｂ）に示すように頂角θ１をこれより広い範囲とすると光のもれが生じる。また溝部２２ａの頂角θ１が９０度とすることがより好ましい。ちなみに、図３において示す光軸Ｌ１は前記ＬＥＤ素子１２の光の大まかな方向を示すものである。
【００１８】
光出射部２３は、前記光屈曲部２２で略９０度屈曲されて導光された光が出射される出射面である。この光出射部２３の裏面２４は、拡散性の印刷や微細な溝等が形成されて、光を拡散する表面処理が施されている。このため、光出射部２３から、前記裏面２４により一部の光が拡散されて射出されることとなる。ちなみに、導光板１３各部における導光される光の強さに応じて裏面２４の表面処理の密度を調整することで、光出射部２３全体を均一に発光させることが可能である。
【００１９】
次に、本実施形態の照明装置１０の導光板１３の作用を説明する。
ここで、導光板１３はアクリル、ポリカーボネート、ポリスチレンなどの樹脂やガラスなどの透明材料が用いられるため、その屈折率は概ね１．４〜１．８程度である。このとき、導光板１３内部から空気（屈折率≒１）中へ光が射出されずに導光される臨界角θ２は次式で表される。
【００２０】
θ２＝Ａｒｃｓｉｎ（１／ｎ）
ｎ：屈折率
上式より、臨界角θ２は３３〜４５．６度である。このため、図３に示すように導光板１３の法線ＨＬ１〜ＨＬ３と光線Ａ〜Ｃの角度が前記臨界角θ２より小さくなると、導光板１３から光が漏れることとなる。また、例えば大きな光束を必要とする照明装置では、図３に示すように光束を増やすために個々のＬＥＤ素子１２が大きくなる一方で、導光板１３は軽量にしたいためできるだけ薄型に設計される。したがって、導光板１３の厚みとＬＥＤ素子１２の大きさは図３のように近い寸法となる。そのため、図３に示す光線Ａ〜Ｃなどの光は溝部２２ａを有しない光屈曲部２２で屈曲できずに漏れ光となってしまう。
【００２１】
そこで、光屈曲部２２の外面にＶ字状の溝部２２ａが形成されると、図４（ａ）に示すように全反射されずに漏れていた光を、図４（ｂ）に示すように全反射することができる。ここで図５〜図７を用いて、導光板１３内部の光がＶ字状の溝部２２ａに入射したときの光の挙動を説明する。なお、光の挙動の理解を容易とすべく、前記導光板１３とは形状の異なる導光体Ｘの平面方向にＶ字状の溝部２２ａを複数形成した構造として説明する。前述したように、Ｖ字状の溝部２２ａがないと、図７において矢印付き破線で示した方向に光が導光体Ｘから漏れる。しかしＶ字状の溝部２２ａを有するため、導光体Ｘの法線と入射光線のなす角度が大きくなって臨界角θ２（図８参照）が見かけ上小さくなり、全反射されることとなる。この例及び前記導光板１３のＶ字状の溝部２２ａの頂角θ１が９０度であるのと、溝部２２ａの平面２２ｂとＬＥＤ素子１２の光軸とがなす角度が略４５度とされる。また、溝部２２ａの頂角θ１が９０度であることで、図５及び図６に示すように光の方向も乱されにくい。
【００２２】
次に、本実施形態の効果を記載する。
（１）導光板１３は、ＬＥＤ素子１２の光が入射される光入射部２１と、光入射部２１から入射された光をＬＥＤ素子１２の光軸Ｌ１と交差する導光方向Ｌ２に屈曲させる光屈曲部２２と、光屈曲部２２により屈曲された光を射出する光出射部２３とを備える。光屈曲部２２は、導光方向Ｌ２から見た状態でＶ字状をなす溝部２２ａが導光方向Ｌ２に沿って形成される。この溝部２２ａによって光が全反射されて導光板１３中心の光出射部２３側に集光されやすいため、導光板１３内からの光の漏れを抑えて高効率とすることができる。
【００２３】
（２）溝部２２ａは、その頂角θ１が８０〜１１０度となるように形成されるため、溝部２２ａにおいて光を全反射し易くなるため、光の漏れを抑えることができる。また、頂角θ１を略９０度とすることで、光の方向の乱れることを抑えることができる。
【００２４】
（３）溝部２２ａは、複数形成されるため、ＬＥＤ素子１２から出射される光の広い範囲に対応することが可能となり、より光の漏れを抑えることができる。
（第２実施形態）
次に、第２実施形態の照明装置について説明する。
【００２５】
本実施形態の照明装置では、上記第１実施形態の照明装置と比較して導光板の形状が異なるため、主にその差異について説明し、第１実施形態と同様の構成については同一の部材番号を付して説明の一部又は全部を割愛する。
【００２６】
図１１に示すように本実施形態の導光板３１は、第１実施形態の導光板１３同様に、光入射部２１と、光屈曲部２２と、光出射部２３とを備える。本実施形態では、本実施形態では導光板３１は、前記光入射部２１と光出射部２３の裏面２４（図３参照）とが同一平面上となるように構成される。
【００２７】
図１１に示すように光屈曲部２２はＶ字状の溝部３２を有する。この溝部３２は、その深さが導光板３１の光出射部２３側ほど浅くなるように形成される。また、溝部３２は、光屈曲部２２のうちで溝部３２がなくても全反射が始まる位置まで形成されている。ここで「溝部３２がなくても全反射が始まる位置」について定義する。ただし、光屈曲部２２形状および導光板３１（導光体）の屈折率によっても異なる。図１２に示すようにＬＥＤ素子１２の導光板３１の中心側における発光部端点の垂線ＰＬ１に対して、同端点から出射される光のうちで例えば最も外側の光路Ｄの導光板３１側への傾き角をθ３とする。そして、光路Ｄのうちで光屈曲部２２によって反射した光線Ｄ１と導光板３１外面の交点ＩＰにおける導光板３１外面の接線ＴＬの傾き角をθ４とするとき、θ３＋θ４が導光板３１の臨界角より大きければ全反射が始まる。このため、次のような関係となる。
【００２８】
θ３＋θ４＜Ａｒｃｓｉｎ（１／ｎ）
ｎ：導光板の屈折率
即ち、上記式を満たす交点ＩＰより導光板３１の中心側ではＶ字状の溝部３２がなくても全反射するということである。このため、前記交点ＩＰまで溝部３２を形成することで光の漏れを抑えることが可能となる。
【００２９】
次に、本実施形態の照明装置の作用を説明する。
本実施形態の照明装置の導光板３１は、導光板３１の中心側ほど溝部３２の深さが浅くなるように形成される。ここで、Ｖ字状の溝部の深さが一定の場合には、Ｖ字状の溝部の終端において高さが急激に変化する。このような箇所では導光されている光の挙動が急激に変わるため、その境界部（溝部終端）で輝度ムラの発生が起きる。しかしながら、前述したように、本実施形態の溝部３２は導光板３１の中心側ほど深さが浅くなるように形成されるため、溝部３２の終端における形状変化を抑えて輝度ムラの発生を抑えることができる。
【００３０】
以上、説明したように本実施形態の照明装置では、第１実施形態の（１）（２）の効果に加えて、以下の効果を奏する。
（３）溝部３２は、導光板３１の中央側ほど浅くなるように形成されるため、溝部３２の導光板３１の中央側の境界部分における断面形状の急激な変化を抑えることができる。これにより、この境界部での光の挙動を急激に変化されるといったことが抑えられるため、輝度ムラの発生を抑えることができる。
【００３１】
なお、本発明の実施形態は、以下のように変更してもよい。
・上記各実施形態では、特に言及していないが、前記溝部は、ＬＥＤ素子の配設方向に複数形成されることが好しい。特に、ＬＥＤ素子１２と対応する位置に形成することが好ましい。このとき、溝部２２ａ，３２は、図１３に示すようにＬＥＤ素子１２の配設方向（紙面左右方向）において溝部２２ａ，３２がないと光漏れが起こる部分にのみ形成される。具体的には、ＬＥＤ素子１２の配設方向において溝部２２ａ，３２がないと光漏れが起こる範囲をαとし、導光板１３，３１の屈折角をｎとすると、α＜Ａｒｃｓｉｎ（１／ｎ）の関係になる範囲に溝部２２ａ，３２を形成する。
【００３２】
・上記各実施形態では、光屈曲部２２の溝部２２ａ，３２が導光板１３，３１の外縁部の一部に形成する構成としたが、これに限らず、図１４に示すように導光板１３の外縁部の全体にわたって溝部２２ａを形成してもよい。
【００３３】
・上記各実施形態では、導光板１３を、円板状（導光板１３の光出射部２３と直交する方向から見て円形状）を成すように構成したが、これに限らず、正方形や矩形などの多角形状としてもよい。要は、図１０に示すように光屈曲部２２に溝部２２ａを形成して、ＬＥＤ素子１２の光軸Ｌ１から導光方向Ｌ２に導光させる構成であればいずれの形状であっても適用可能である。
【００３４】
・上記各実施形態では、特に言及していないが、導光板１３の光出射部２３と対向する位置に、より光を均一にするために拡散板や拡散シートが設置してもよい。また、導光板１３の光出射部２３とは反対側のベース部１１に高い反射率を持つ反射板を設置したり、ベース部１１自体に白色塗装や鏡面処理を施してもよい。
【００３５】
・上記各実施形態では、ＬＥＤ素子１２を光源として採用したが、光源はこれに限らない。例えばＬＥＤ素子１２の代わりに直管型の冷陰極蛍光ランプ（ＣＣＦＬ）などを光源として採用してもよい。また、有機ＥＬ素子（ＯＬＥＤ）を光源として用いてもよい。
【００３６】
・上記各実施形態では、２つの平面２２ｂを交差させてＶ字状の溝部２２ａとしたが、これに限らない。例えば、平面２２ｂでなく湾曲面を交差させてＶ字状の溝部としてもよい。
【００３７】
・上記各実施形態では特に言及していないが、光源としてのＬＥＤ素子１２並びに導光板１３は、筐体とカバー部とで構成された収容空間内に備える構成を採用してもよい。筐体とカバー部との組合せは以下のようなものが考えられる。但し、以下に示す構成以外であってもよい。
【００３８】
（構成Ｓ１）
図１６に示すように、照明装置１０の筐体４０は、略平板状に形成される。筐体４０の一方の平面部４１には、その中央部に反射部材４２が設けられ、外縁側に基板４３がネジ等で固定されている。この基板４３上には光源としてのＬＥＤ素子１２が配設される。ＬＥＤ素子１２と対向する位置には導光板４５が設けられ、この導光板４５は図示しない支持部材によって筐体４０内に固設される。
【００３９】
筐体４０には、筐体４０の一方の平面部４１を覆うようにカバー部４６を備える。カバー部４６は、有底筒状をなすため、カバー部４６の底部４６ａと筐体４０の平面部４１とが離間された状態、即ち前記基板４３や導光板４５等が収容可能な収容空間を有する。また、カバー部４６は、光を透過・拡散するように構成される。
【００４０】
導光板４５は、例えば第１実施形態と同様に、光入射部２１と、光屈曲部２２と、光出射部２３とを備える。光屈曲部２２は、導光方向Ｌ２から見た状態でＶ字状をなす溝部２２ａが導光方向Ｌ２に沿って形成される。また、図１５に示すように、導光板４５は、溝部２２ａ間に部分光屈曲部としての曲面部４５ａを備える構成を採用してもよい。この曲面部４５ａは、曲面形状をなし、導光板４５内を通った光の一部が全反射され、残りの光が漏れるように構成されることが好ましい。このような構成とすることで、透過性を有するカバー部４６の底部４６ａの外縁部４６ｂや、外縁部４６ｂの端部から延出形成された側壁部４６ｃからカバー部４６外部に光Ｒ２，Ｒ３を出射することが可能となる。また、曲面部４５ａによって全反射された光Ｒ１がカバー部４６の底部４６ａ中央から出射される。
【００４１】
また、図１６に示すように、カバー部４６と導光板４５との間に拡散部材としての光拡散シート４７を設けてもよい。光拡散シート４７は、例えば、溝部２２ａ間に設けられる部分光屈曲部としての曲面部４５ａと対向する位置に設けることで、曲面部４５ａから出射された光（漏れた光）を拡散できるため、輝度ムラの発生を抑えることができる。
【００４２】
（構成Ｓ２）
図１８に示すように、照明装置１０の筐体５０は、略有底筒状に形成される。筐体５０の底部５０ａには、基板４３がネジ等で固定されている。基板４３上には光源としてのＬＥＤ素子１２が配設される。ＬＥＤ素子１２と対向する位置には導光板４５が設けられ、この導光板４５は図示しない支持部材によって筐体５０内に固設される。
【００４３】
筐体５０は、その開口部５０ｂが前記導光板４５よりも広い開口とされる。筐体５０は、開口部５０ｂに、開口部５０ｂを閉塞するカバー部５２を備える。カバー部５２は、平板状をなし、光を透過・拡散するように構成される。
【００４４】
導光板４５は、例えば第１実施形態と同様に、光入射部２１と、光屈曲部２２と、光出射部２３とを備える。光屈曲部２２は、導光方向Ｌ２から見た状態でＶ字状をなす溝部２２ａが導光方向Ｌ２に沿って形成される。また、図１５に示すように、導光板４５は、溝部２２ａ間に部分光屈曲部としての曲面部４５ａを備える構成を採用してもよい。この曲面部４５ａは、曲面形状をなし、導光板４５内を通った光の一部が全反射され、残りの光が漏れるように構成されることが好ましい。このような構成とすることで、透過性を有するカバー部４６の底部５２ａの外縁部５２ｂからカバー部４６外部に光Ｒ２を出射することが可能となる。また、曲面部４５ａによって全反射された光Ｒ１がカバー部４６の底部４６ａ中央から出射される。
【００４５】
（構成Ｓ３）
図１９に示すように、照明装置１０の筐体６０は、略有底筒状に形成される。筐体６０の底部６０ａには、基板４３がネジ等で固定されている。基板４３上には光源としてのＬＥＤ素子１２が配設される。ＬＥＤ素子１２と対向する位置には導光板４５が設けられ、この導光板４５は図示しない支持部材によって筐体６０内に固設される。
【００４６】
筐体６０は、一面側に孔部６０ｂを有する閉塞板６０ｃを備え、その孔部６０ｂ（開口部）が前記導光板４５よりも狭い開口となるように構成される。
筐体６０は、孔部６０ｂに、孔部６０ｂを閉塞するカバー部６２を備える。カバー部６２は、平板状をなし、光を透過・拡散するように構成される。
【００４７】
このような構成においては、図１４に示すように導光板１３の外縁部の全体にわたって溝部２２ａを形成することが好ましい。この際、溝部２２ａを導光板１３の外縁部の全体にわたって連続して形成することが好ましい。このように、溝部２２ａを導光板１３の外縁部の全体にわたって連続して形成することで、導光板１３の略中央側の光出射部２３側に集光されやすいため、導光板１３内からの光の漏れを抑えて高効率とすることができる。
【００４８】
ちなみに、上記構成Ｓ１及び構成Ｓ２において、溝部２２ａ間に曲面部４５ａを設ける構成としたが、曲面部４５ａを省略する構成を採用してもよい。この場合、Ｖ字状の溝部２２ａ表面に拡散処理を施すことによって、必要な場所に溝部２２ａから一部の光を漏らす構成を採用してもよい。拡散処理の手法としては、化学的粗化，サンドブラスト加工，金型への微小凹凸加工などで実現できる。ちなみに、溝部２２ａを形成することによって屈曲されて導光板４５中央側（導光方向）に導光される光が、溝部２２ａ形成前よりも多いことは言うまでもない。
【００４９】
また、上記構成Ｓ１では、反射部材４２を設ける構成としたが、図１７に示すように、反射部材４２を省略した構成を採用してもよい。
また、上記構成Ｓ１では、光拡散シート４７を設ける構成としたが、図１７に示すように、光拡散シート４７を省略した構成を採用してもよい。
【００５０】
・上記各実施形態並びに上記各変形例は適宜組み合わせてもよい。
【符号の説明】
【００５１】
１０…照明装置、１２…光源としてのＬＥＤ素子、１３，３１，４５…導光板、２１…光入射部、２２…光屈曲部、２２ａ，３２…溝部、２３…光出射部、４０，５０，６０…筐体、４３…基板、４５ａ…曲面部（部分光屈曲部）、４６，５２，６２…カバー部（拡散透過板）、４６ｂ，５２ｂ…外縁部、４７…拡散シート（拡散部材）、５０ｂ…開口部、θ１…頂角、Ｌ２…導光方向、Ｒ１，Ｒ２，Ｒ３…光。
【図１】
2014096348.tif 000003
【図２】
2014096348.tif 000004
【図３】
2014096348.tif 000005
【図４】
2014096348.tif 000006
【図５】
2014096348.tif 000007
【図６】
2014096348.tif 000008
【図７】
2014096348.tif 000009
【図８】
2014096348.tif 000010
【図９】
2014096348.tif 000011
【図１０】
2014096348.tif 000012
【図１１】
2014096348.tif 000013
【図１２】
2014096348.tif 000014
【図１３】
2014096348.tif 000015
【図１４】
2014096348.tif 000016
【図１５】
2014096348.tif 000017
【図１６】
2014096348.tif 000018
【図１７】
2014096348.tif 000019
【図１８】
2014096348.tif 000020
【図１９】
2014096348.tif 000021